(57)【特許請求の範囲】
【請求項１】
熱可塑性合成樹脂からなる笠木材を芯材に外嵌して形成される手摺笠木であって、
前記笠木材は、略多角筒状に形成され、芯材に形成された角支持部を覆う角部を備えるとともに、内壁よりも厚さ方向外壁寄りの位置に加熱用の高温の流体を外部から導入可能な流体流路を角部に局所的に有し、かつ、前記流体流路の厚さ方向内方の肉厚および厚さ方向外方の肉厚の和が他の部分の肉厚と同程度に形成される手摺笠木。
【請求項２】
前記流体流路は、角部の内部において笠木材の長手通しに中空状に形成される空隙からなる請求項１記載の手摺笠木。
【請求項３】
前記笠木材は、角の一つが開放した略三角筒状に形成され、開放端縁部に形成される係止部を芯材に係止させて芯材に装着される請求項１または２記載の手摺笠木。
【請求項４】
熱可塑性合成樹脂の押し出し成形品であって、略多角筒状であり、内壁よりも厚さ方向外壁寄りの位置に加熱用の高温の流体を導入可能な流体流路が長手通しに角部に局所的に形成され、かつ、前記流体流路の厚さ方向内方の肉厚および厚さ方向外方の肉厚の和が他の部分の肉厚と同程度に形成される手摺用笠木材。
【発明の詳細な説明】
【技術分野】
【０００１】
本発明は手摺笠木、および手摺用笠木材に関するものである。
【背景技術】
【０００２】
笠木材を芯材に装着して形成される手摺笠木としては、従来、特許文献１に記載されたものが知られている。この従来例において、手摺笠木は、塩化ビニール、ポリプロピレン等の樹脂で形成された樹脂カバーと、金属リテイナとからなる。上記樹脂カバーは、横断面において一箇所が開口状の略円筒形状に形成され、両端縁に係止端縁部が形成される。また、上記金属リテイナは、樹脂カバーの内周面に接触して該樹脂カバーを支持するための複数個の弯曲支持部、および係止部が形成されてなる。
【０００３】
以上の手摺笠木は、金属リテイナを樹脂カバーで被覆し、金属リテイナの係止部に樹脂カバーの係止端縁部を係合して形成される。樹脂カバーの金属リテイナへの嵌込みは、湯等で樹脂カバーを柔らかくした後、嵌込治具を用いてなされる。この嵌込治具は、略半円形状の第１部材と第２部材とを蝶番を介して連結し、第２部材の外周上にレバーを取付けて形成され、金属リテイナに係止端縁部の一方が係止した状態にある樹脂カバーの上記係止端縁部側に第１部材を覆着させた後、レバーを移動することで、第２部材により樹脂カバーの他方の係止端縁部を金属リテイナに強制的に係止する。
【先行技術文献】
【特許文献】
【０００４】
【特許文献１】実開昭６２-１２４１３３号公報
【発明の開示】
【発明が解決しようとする課題】
【０００５】
ところで、上述した従来例は、笠木材が略円筒形状、すなわちその外周が円形であるために、その全周をしっかりと把持しやすくなる反面、手摺に沿って歩く場合には使いづらくなることもある。すなわち、歩く場合には、歩幅に合わせた各位置で手摺の全周をしっかりと把持するよりも、その上面に手を滑らせるようにすると歩行がしやすいが、このとき手摺の外周が円形であると、その上面で手を安定して滑らせることがややしづらくなる。また、このように手摺の上面に手を滑らせて歩行している際に、つまづくなどして手摺の上面にある手によって咄嗟に身体を上方に向かって支えたいようなとき、手摺の外周が円形であると、その曲面に沿って手が滑ってしまうおそれがあり、支えづらいという欠点がある。
【０００６】
このような欠点は、手摺を略多角筒状などにし、その上面をある程度平滑にすれば改善することができるが、この場合には以下の施工作業上の問題が新たに生じてしまう。
【０００７】
すなわち、従来例におけるように、そもそも笠木材を略円筒形状に形成すると、施工時において湯等に浸漬すればその全体をほぼ均一に加熱しやすい上に、係止端縁部間に拡開方向の力を加えれば全体がなだらかに変形しやすく、さらに、笠木材の内周面に沿ってやや均質、規則的な外周形状に形成される芯材の外周を滑るようにして芯材に被せることも不可能ではないため、笠木材の芯材に対する装着作業がそれほど困難なものにはなりにくい。
【０００８】
この点、上述したように笠木材を略多角筒状などの角のある断面形状に形成した場合には、湯等に浸漬しても角部分が他の部分に比べて加熱されづらく、拡開方向に力を加えた際には角部分によって不規則に変形してしまい、さらに、芯材の外周にも合わせて角部分が生じやすいために、その外周を滑らせて装着させることもややしずらくなってしまう。
【０００９】
本発明は以上の点に着目してなされたもので、歩く際に使いやすくすることが可能になる上に、その施工作業性をも高めることができる手摺笠木の提供を目的とする。また、本発明の他の目的は、以上の手摺笠木を構成可能な手摺用笠木材の提供にある。
【課題を解決するための手段】
【００１０】
本発明によれば、上述した目的は、
熱可塑性合成樹脂からなる笠木材１を芯材２に外嵌して形成される手摺笠木であって、
前記笠木材１は、略多角筒状に形成され、芯材２に形成された角支持部３を覆う角部４を備えるとともに、内壁４ａよりも厚さ方向外壁４ｂ寄りの位置に加熱用の高温の流体５を外部から導入可能な流体流路６を角部に局所的に有し、かつ、前記流体流路６の厚さ方向内方の肉厚および厚さ方向外方の肉厚の和が他の部分の肉厚と同程度に形成される手摺笠木を提供することにより達成される。
【００１１】
本発明によれば、手摺笠木は、熱可塑性樹脂により形成される笠木材１を芯材２に外嵌して形成され、笠木材１を加熱して柔軟にすることによって芯材２への装着作業性を高めることが可能にされる。この笠木材１は略多角筒状に形成され、これにより上述したように、上面で手を安定して滑らせることが可能になる上に、このように上面に乗せた手によってそのまま咄嗟に身体を上方に向かって支えることも比較的容易になる。
【００１２】
また、上記笠木材１には、角部４の内壁４ａよりも厚さ方向外壁４ｂ寄りの位置に加熱用の高温の流体５を導入可能な流体流路６が形成され、これにより角部４を施工時に良好に加熱することができ、柔軟にすることができる。笠木材１の加熱は、上述したように湯等に沈めたり、あるいは例えば、芯材２を収容する部分などにブロアによって温風を送ってすることが可能で、このような場合にはそれぞれ高温の液体あるいは気体が加熱用の流体５として機能する。さらに、内壁４ａよりも厚さ方向外壁４ｂ寄りの位置に流体流路６が位置することにより、その空隙を利用して角部４が変形しやすくなり、全体としてよりなだらかに変形することが可能になる。また、これにより芯材２の角支持部３にあまり引っかかることなく芯材２周りに笠木材１を滑らせて被せやすくもなる。
【００１３】
加えて、角部４は、衝突による怪我等を良好に防ぐためにクッション性を高める必要があることから、平坦な一般部に比べるとその厚さが厚くなりやすいが、上述した流体流路６によって厚さに比して加熱を容易にすることもできるし、さらには、流体流路６自体をクッションとして利用することも可能になる。
【００１４】
上述した流体流路６は、例えば、笠木材１の角部４の内壁４ａに溝状に形成することもできるが、角部４の内部に中空状に形成すれば、角部４における笠木材１の合成樹脂の実効的な厚さ寸法に比してクッション性をより良好に保つことができる。
【００１５】
また、笠木材１の芯材２への外嵌は、例えば笠木材１を一側方に開放する多角筒状に形成し、開放端縁部に係止部７を形成して実現することができる。この場合、笠木材１を例えば三角筒状にすれば、上面の平坦な部分の幅を広くすることができ、かつ、全体としてコンパクトな断面形状にすることができる。また、上述したように角部４が柔軟になることで、係止部７の芯材２への係止作業を容易にすることができる。
【００１６】
上述した笠木材１は、
熱可塑性合成樹脂の押し出し成形品であって、略多角筒状であり、内壁４ａよりも厚さ方向外壁４ｂ寄りの位置に加熱用の高温の流体５を導入可能な流体流路６を長手通しに角部に局所的に形成され、かつ、前記流体流路６の厚さ方向内方の肉厚および厚さ方向外方の肉厚の和を他の部分の肉厚と同程度に形成して構成することができる。
【００１７】
この発明において、熱可塑性合成樹脂からなることで非加熱状態において硬質の笠木材１は、押し出し成形により長手方向に等断面形状に形成され、長手通しに形成される流体流路６により角部４を全長に渡って良好に加熱して柔軟にすることができる。また、このように長手通しの均質な幅寸法を利用することにより、芯材２を挟持するようにして取り付けることも可能になる。押し出し成形によって長尺に形成される手摺用笠木材１は、手摺の施工長さに応じて切断すればよく、流体流路６が長手通しに形成されることによって、流体流路６を個々の切断片において良好に確保することができる。
なお、本発明によれば、
熱可塑性合成樹脂からなる笠木材１を芯材２に外嵌して形成される手摺笠木であって、
前記笠木材１は、略多角筒状に形成され、芯材２に形成された角支持部３を覆う角部４を備えるとともに、前記角部４には、該角部４の内壁４ａよりも厚さ方向外壁４ｂ寄りの位置に加熱用の高温の流体５を外部から導入可能な流体流路６が形成される手摺笠木や、あるいは、
熱可塑性合成樹脂を押し出し成形して略多角筒状に形成され、角部４の内壁４ａよりも厚さ方向外壁４ｂ寄りの位置に加熱用の高温の流体５を導入可能な流体流路６が長手通しに形成される手摺用笠木材１を提供することも可能である。
【発明の効果】
【００１８】
以上の説明から明らかなように、本発明によれば、歩く際に手摺笠木を使いやすくすることが可能になる上に、手摺笠木の施工作業性をも高めることができるために、安全な歩行環境を広く提供することが可能になる。
【図面の簡単な説明】
【００１９】
【図１】本発明に係る手摺笠木を示す図で、（ａ）は斜視図、（ｂ）は手摺笠木の設置状態を示す斜視図である。
【図２】手摺笠木の設置作業を説明する分解図で、（ａ）は芯材の設置作業を説明する要部断面図、（ｂ）は笠木材の設置作業を説明する要部断面図である。
【図３】笠木材の芯材への組み付け作業を説明する図で、（ａ）は第１段階を示す要部断面図、（ｂ）は第２段階を示す要部断面図、（ｃ）は組み付け完了状態を示す要部断面図である。
【図４】変形例を示す図で、（ａ）は笠木材の設置作業を説明する要部断面図、（ｂ）は笠木材の芯材への組み付け作業の第１段階を示す要部断面図である。
【発明を実施するための最良の形態】
【００２０】
図１ないし図３に本発明の実施の形態を示す。図１（ａ）等に示すように、手摺笠木Ａは、この実施の形態において断面略三角形状に形成される。この手摺笠木Ａは、金属からなる芯材２と、熱可塑性合成樹脂からなる笠木材１とを有し、芯材２の外側に笠木材１を被せて形成される。
【００２１】
上記芯材２は、この実施の形態においてはアルミニウムを押し出し成形して形成され、図１（ｂ）および図３に示すように、後述するブラケット１１を挿入するための開放部１２を備えた断面略Ｃ字形状、より正確にはＣ形鋼に近似する形状の主体部１３と、この主体部１３から笠木材１の内壁４ａを支えるために延設される支持部１４とを有する。上記主体部１３は、ブラケット１１の挿入先端に嵌合する嵌合凹部１３ａと、ブラケット１１の挿入後端を挟み付ける一対の挟持片１３ｂ、１３ｂとを有し、上記嵌合凹部１３ａは上述した開放部１２に対峙する主体部１３の奥側壁面１３ｃの内壁に、また、挟持片１３ｂは開放端縁に配置される。
【００２２】
また、上記支持部１４は、上述した手摺笠木Ａの断面形状である三角の形状に応じて、その頂点（角）の位置を支持する角支持部３と、その辺の位置を支持する辺支持部１５とを有する。上述した開放部１２が三角の頂点の１つの位置に合わせるようにして配置されることにより、角支持部３は、残余の２つの頂点に対応して２箇所に設けられる。具体的には、角支持部３は、上述した奥側壁面１３ｃの両端に位置する主体部１３の隅部から奥側壁面１３ｃに平行に延設される板状をなし、その突出先端が三角形の頂点の位置にほぼ対応する。また、この角支持部３は、頂点近傍の辺の位置も支持することが可能で、具体的には開放部１２とは反対側の面が三角形の頂点近傍の辺の位置を支持する。
【００２３】
なお、図３に示すように、角支持部３は奥側壁面１３ｃよりもやや開放部１２から離れた位置に配置され、これにより生じる奥側壁面１３ｃとの段差により、後述する防縮ピン１６を設置するためのピン設置用凹部１７が形成される。
【００２４】
また、辺支持部１５は、上述した２つの頂点と、角支持部３による支持のない開放部１２側の頂点とを結ぶ辺を支持するもので、具体的には、主体部１３の挟持片１３ｂ近傍の両隅部からそれぞれ外側に突出して２箇所に設けられる。なお、辺支持部１５の開放部１２側には、主体部１３との間に生じる段差を利用して、後述する係止部７が係止される被係止部１８が形成される。
【００２５】
一方、笠木材１は、例えば塩ビ（ポリ塩化ビニール）を押し出し成形して形成され、芯材２の開放部１２に対応する頂点部分を開放した略三角筒状をなす。この笠木材１は、開放しない残余の頂点部分に対応する２箇所の角部４、４と、これら角部４、４同士や角部４と開放端との間に形成される辺部１９とを有し、また、上述したように筒状に形成されることで空隙となる内部は、芯材収容部２０として機能する。
【００２６】
上記角部４や辺部１９は、上述した芯材収容部２０に芯材２を収容した状態で、その内壁４ａが角支持部３や辺支持部１５に当接する位置に配置される。また、これら角部４や辺部１９の内壁４ａは、角支持部３や辺支持部１５の角部４等との当接面と同じ程度の曲率にされる。なお、芯材収容部２０は、芯材２に対し、これら角支持部３や辺支持部１５以外では接触しない大きさに形成される。
【００２７】
また、笠木材１の開放端部には、芯材収容部２０に芯材２を収容した状態において、上述した被係止部１８に係止可能な係止部７が形成される。この係止部７は、具体的には、開放端部の内壁から内方に向かって立ち上がる突条として形成される。また、開放端部には、その内部に中空状の肉盗み２１が形成される。
【００２８】
以上の笠木材１は、辺部１９の厚さ、すなわち厚さ方向寸法がほぼ一定で、角部４は、この辺部１９よりもやや厚く形成される。また、このように辺部１９よりも厚さ方向寸法が大きい角部４には、その内部に空隙からなる中空部６（流体流路）が長手通しに形成される。なお、図３（ａ）において１ａは、着色された樹脂による二重押し出し成形のスキン層である。
【００２９】
この中空部６は、図３（ｃ）に示すように、三角形にやや近似する断面形状に形成され、笠木材１の外形形状としての三角の頂点位置に近づくに従って容積が漸次狭くなるように形成される。また、中空部６は、角部４の外壁４ｂ面との距離が一定になるように配置される。このように中空部６が形成されることによって、角部４は、図３（ｃ）に示すように、中空部６の内方の厚さ寸法ｔ1と外方の厚さ寸法ｔ２の和が、辺部１９の厚さ寸法Ｔと同じ程度にされ、すなわち実効的な厚さ、肉厚が辺部１９と同じ程度にされる。
【００３０】
以上の手摺笠木Ａは、図１（ｂ）および図２（ｂ）に示すように、この実施の形態においては、上述したブラケット１１を介して壁面２２に取り付けられる。このブラケット１１は、アルミニウムの押し出し成形品であり、側面視クランク近似形状をなし、一端に壁面固定片１１ａ、他端に笠木固定片１１ｂが形成される。
【００３１】
上記壁面固定片１１ａは、壁面２２に取り付けられたアンカーボルト２３を貫通させてナット２４で締め付けることにより壁面２２に固定される。なお、図２に示す溝状の２５は、後述するブラケットカバー２６の支持溝である。また、上記笠木固定片１１ｂは、上述した芯材２の開放部１２と同じ程度の幅寸法に形成され、開放部１２から主体部１３内方に挿入され、主体部１３に芯材固定ネジ２７で共締めされることにより芯材２、すなわち手摺笠木Ａに固定される。さらに、以上の壁面固定片１１ａと笠木固定片１１ｂとの中間位置には、後述するブラケットカバー２６を係止するためのブラケット係止部１１ｃが形成される。
【００３２】
また、上述した壁面固定片１１ａを壁面２２に固定するナット２４やアンカーボルト２３を目隠しするために、ブラケット１１には、上述したブラケットカバー２６が取り付けられる。このブラケットカバー２６は、図１（ｂ）および図２に示すように、外形が２等辺三角柱形状をなし、その長さが等しい２辺の柱状の壁面において外部に開放された中空ブロック状に形成される。また、内部の中空部分には、壁面固定片１１ａに被せたときに上述した支持溝に挿入される支持片２６ａ、および上述したブラケット係止部１１ｃに係止される係止爪２６ｂが形成され、これら支持片２６ａ、係止爪２６ｂが同時に係合することによってブラケットカバー２６がブラケット１１に固定される。
【００３３】
したがって手摺笠木Ａは、図１（ｂ）および図２に示すように、先ず、手摺笠木Ａの設置予定の長さ範囲に所定間隔でブラケット１１を壁面２２に固定した後、このブラケット１１に芯材２、およびブラケットカバー２６を取り付け、最後に、このようにして壁面２２に対して固定された芯材２に対して笠木材１を外嵌して設置される。
【００３４】
また、この外嵌に先立って笠木材１は、湯５（流体）に浸漬されて加熱され、柔軟にされる。上述したように角部４に中空部６が形成される笠木材１は、湯５に沈めることにより、外壁４ｂ側および内壁４ａ側の表面に加え、中空部６にも湯５が浸入することから、角部４が良好に加熱され、柔軟になる。なお、図２（ｂ）において２８は湯５を貯めた容器である。
【００３５】
図３に加熱後の笠木材１の芯材２への装着作業を示す。装着作業は、上述したように全体が柔軟になった笠木材１を、その開放部分を拡開する方向に変形させ、この状態で芯材収容部２０に芯材２を滑り込ませることによりなされる。具体的には、笠木材１の開放部分の両端縁にそれぞれ指を掛けて開放部分を開く方向に力を加えるなどすれば拡開させることができるが、柔軟とはいっても拡開にはそれなりの力を要する上に、手摺笠木Ａの長さは一般に短いものではないために装着作業を所定の長さ範囲に小分けして繰り返さなければならず、これによる時間経過に伴う笠木材１の温度低下などもあることから、拡開変形量を抑える代わりに笠木材１の向きを適宜調整するなどして、芯材収容部２０に笠木材１の一対の角支持部３、３を順に滑り込ませるようにして行うことが効率的である。また、上述したように角部４に中空部６があることで、角部４の曲率を大きくする、言い換えれば角部４の角度を大きくする変形が容易になることから、開放部分を広げて芯材収容部２０に芯材２を滑り込ませる作業がスムーズになる。
【００３６】
さらに、手摺笠木Ａが壁面２２に近接した位置に設置されるこの実施の形態においては、芯材２の壁面２２側に位置する角支持部３を最初に芯材収容部２０に滑り込ませることにより、作業のしやすさが高められる。
【００３７】
以上のようにして芯材収容部２０に一方の角支持部３を滑り込ませたら、そのまま角部４に合わせ、また、係止部７を被係止部１８に係止させれば、芯材２への笠木材１の装着が手摺笠木Ａの壁面２２側のみでは完了したような状態になる。図３（ａ）に示すように、この状態で笠木材１の壁面２２反対側は、芯材２の他方の角支持部３を乗り越えた位置にあるため、次いで、他方の角支持部３を角部４に合わせ、この後、壁面２２反対側に位置する係止部７を被係止部１８に係止させれば、装着が完了する（図３（ｃ）参照）。
【００３８】
笠木材１の芯材２への固定強度を高くしたこの実施の形態において、芯材２の外側に沿った寸法に対する芯材収容部２０内側に沿った寸法の余長、すなわち笠木材１の芯材２に対する遊びシロは少なく設定されるが、上述したように角部４に中空部６があることで、図３（ｂ）に示すように、壁面２２反対側における被係止部１８に対する係止部７の係止作業もスムーズになる。また、上述したように、開放端部の内部にも肉盗み２１が形成されるために、係止作業がよりスムーズになる。
【００３９】
なお、図２における１６が上述した防縮ピンであり、笠木材１を外嵌する前に芯材２のピン設置用凹部１７に防縮ピン固定用ネジ２９によって取り付けられ、その先端が笠木材１の内壁に刺さることにより、笠木材１の温度変化や経年による長手方向の縮みを防止する。また、上記ピン設置用凹部１７には、防縮ピン１６を位置決めするために微小な突起が形成される。
【００４０】
図４に本発明の変形例を示す。なお、この変形例において、上述した実施の形態と同一の構成要素は図中に同一の符号を付して説明を省略する。この変形例は、上述した実施の形態における中空部６に代えて、笠木材１の角部４に内壁４ａ側に開放する溝６（流体流路）を形成したものである。
【００４１】
この溝６により、角部４は肉厚が辺部１９と同じ程度になり、笠木材１を湯５に浸漬した際には、角部４を良好に加熱することができる。また、溝６によって角部４の角度を大きくする変形も容易になる。なお、溝６の底面と角部４の外壁４ａとの間の厚さ寸法ｔ３は、辺部１９の厚さ寸法Ｔと同じ程度にされる。
【符号の説明】
【００４２】
１    笠木材
２    芯材
３    角支持部
４    角部
４ａ  内壁
４ｂ  外壁
５    流体
６    流体流路
７    係止部
【図１】
0005973143.tif 000002
【図２】
0005973143.tif 000003
【図３】
0005973143.tif 000004
【図４】
0005973143.tif 000005